(57)【特許請求の範囲】
【請求項１】
浴槽内壁面に浴槽内に突出するように配置される槽内突出部を有し、前記槽内突出部の周側壁に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち一方の流路に吸い込まれて浴槽外に流出されるとともに、浴槽外から他方の流路に供給されたお湯が他方の開口から浴槽内に吐出するようにした浴槽用給湯口アダプターであって、
前記槽内突出部に、その槽内突出部を覆うように着脱自在に取り付けられたフィルター部材を備え、
前記槽内突出部の前壁に、前記第１，第２流路に連通する第１，第２圧抜き孔が形成されるとともに、
前記フィルター部材の前壁における前記第１，第２圧抜き孔に対応する領域に、通水孔が設けられていることを特徴とする浴槽用給湯口アダプター。
【請求項２】
前記槽内突出部の前壁と前記フィルター部材の前壁との間の隙間における前記第１，第２圧抜き孔の周囲が囲まれて、第１，第２出口室が形成されている請求項１に記載の浴槽用給湯口アダプター。
【請求項３】
前記第１，第２出口室を構成する周囲壁の少なくとも一部は、前記槽内突出部の前壁に前方へ突出するように形成されたリブによって構成されている請求項２に記載の浴槽用給湯口アダプター。
【請求項４】
前記第１，第２出口室がそれぞれ複数形成されるとともに、各第１，第２出口室に、それぞれ複数の前記第１，第２圧抜き孔が配置されている請求項２または３に記載の浴槽用給湯口アダプター。
【請求項５】
前記槽内突出部の第１，第２開口の開口面積に対し、前記第１，第２圧抜き孔の開口面積がそれぞれ１５％〜２５％に設定されている請求項１〜４のいずれか１項に記載の浴槽用給湯口アダプター。
【請求項６】
前記槽内突出部の前壁裏面側における前記第１，第２圧抜き孔よりも吐出方向に対し上流側に、流動制御突起が設けられている請求項１〜５のいずれか１項に記載の浴槽用給湯口アダプター。
【発明の詳細な説明】
【技術分野】
【０００１】
この発明は、浴槽の壁部に給湯用として取り付けられる浴槽用給湯口アダプターに関する。
【背景技術】
【０００２】
浴槽の側壁に取り付けられる給湯口アダプターは、内部にお湯の流路が設けられた流路仕切部材を備えている。この流路仕切部材の前部には、浴槽内壁面から突出する態様に配置される円盤状の槽内突出部が設けられており、この槽内突出部に、２つの開口が設けられている。そして無極性タイプと称される給湯口アダプターでは、追い焚き時に、２つの開口のうち一方の開口（吸込口）から浴槽内のお湯が吸引されて室外の給湯機に戻されるとともに、給湯機からのお湯が他方の開口（吐出口）から浴槽内に供給されるようになっている。
【０００３】
このような給湯口アダプターは、通常状態では、槽内突出部がフィルター部材によってカバーされているが、このフィルター部材が取り外された状態で、入浴しながら、追い焚きを行うような場合、吸引口から吸引されるお湯に伴って、入浴者の髪の毛等の毛髪が吸い込まれてしまうことがある。
【０００４】
そこで下記特許文献１，２の給湯口アダプターにおいては、槽内突出部の前壁に内部流路に通じる圧抜き孔を形成しておき、吸引口に毛髪が吸い込まれた際に、圧抜き孔から内部流路内にお湯が吸い込まれることにより、吸引口における毛髪に対する吸引力を軽減させて、毛髪を簡単に引き抜くことができるようにしている。
【先行技術文献】
【特許文献】
【０００５】
【特許文献１】特許第４７７４６５９号
【特許文献２】特開２００２−１９５６６０号公報
【発明の概要】
【発明が解決しようとする課題】
【０００６】
ところで、上記特許文献１，２に示す無極性タイプの給湯口アダプターは、槽内突出部に２つの流路が設けられ、浴槽に組み付けられるまでは、いずれの流路が吐出側になるか、吸込側になるかは未定である。このため、圧抜き孔は、２つの流路にそれぞれ対応して形成されている。つまり、浴槽に組み付けられた給湯口アダプターには、吸引側の流路と、吐出側の流路との双方の流路にそれぞれ圧抜き孔が設けられている。
【０００７】
一方、給湯口アダプターは、通常の使用状態では、槽内突出部にフィルター部材が取り付けられている。この状態において、追い焚きを行うと、吐出側の流路に対応する圧抜き孔から吐出したお湯が、吸込側の流路に対応した圧抜き孔から吸い込まれるというショートサーキットが発生し、お湯の撹拌を十分行えないおそれがある。
【０００８】
そこで、従来の給湯口アダプターは、槽内突出部に取り付けられたフィルター部材によって、上記圧抜き孔が閉塞されている。このため通常の使用状態において、圧抜き孔は何の機能も持たず必要性がない、という課題があった。
【０００９】
この発明は、上記の課題に鑑みてなされたものであり、フィルター部材を取り付けた通常の使用状態において、圧抜き孔を有効に活用することができる浴槽用給湯口アダプターを提供することを目的とする。
【課題を解決するための手段】
【００１０】
上記課題を解決するため、本発明は、以下の手段を備えるものである。
【００１１】
［１］浴槽内壁面に浴槽内に突出するように配置される槽内突出部を有し、前記槽内突出部の周側壁に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち一方の流路に吸い込まれて浴槽外に流出されるとともに、浴槽外から他方の流路に供給されたお湯が他方の開口から浴槽内に吐出するようにした浴槽用給湯口アダプターであって、
前記槽内突出部に、その槽内突出部を覆うように着脱自在に取り付けられたフィルター部材を備え、
前記槽内突出部の前壁に、前記第１，第２流路に連通する第１，第２圧抜き孔が形成されるとともに、
前記フィルター部材の前壁における前記第１，第２圧抜き孔に対応する領域に、通水孔が設けられていることを特徴とする浴槽用給湯口アダプター。
【００１２】
［２］前記槽内突出部の前壁と前記フィルター部材の前壁との間の隙間における前記第１，第２圧抜き孔の周囲が囲まれて、第１，第２出口室が形成されている前項１に記載の浴槽用給湯口アダプター。
【００１３】
［３］前記第１，第２出口室を構成する周囲壁の少なくとも一部は、前記槽内突出部の前壁に前方へ突出するように形成されたリブによって構成されている前項２に記載の浴槽用給湯口アダプター。
【００１４】
［４］前記第１，第２出口室がそれぞれ複数形成されるとともに、各第１，第２出口室に、それぞれ複数の前記第１，第２圧抜き孔が配置されている前項２または３に記載の浴槽用給湯口アダプター。
【００１５】
［５］前記槽内突出部の第１，第２開口の開口面積に対し、前記第１，第２圧抜き孔の開口面積がそれぞれ１５％〜２５％に設定されている前項１〜４のいずれか１項に記載の浴槽用給湯口アダプター。
【００１６】
［６］前記槽内突出部の前壁裏面側における前記第１，第２圧抜き孔よりも吐出方向に対し上流側に、流動制御突起が設けられている前項１〜５のいずれか１項に記載の浴槽用給湯口アダプター。
【発明の効果】
【００１７】
発明［１］の浴槽用給湯口アダプターによれば、フィルター部材の圧抜き孔に対応する領域に通水孔を形成しているため、フィルター部材を装着した通常状態において、ゴミ詰まりにより吐出側の開口から十分なお湯が吐出されなくなったとしても、お湯が吐出側の流路から圧抜き孔および通水孔を介して吐出される。従って吐出側の開口にゴミ詰まりがあっても、十分なお湯を確実に槽内に供給することができる。さらに圧抜き孔からお湯が通水孔を通って前方へ吐出されるため、そのお湯によって、良好な撹拌効果を得ることができる。
【００１８】
発明［２］の浴槽用給湯口アダプターによれば、圧抜き孔から吐出されたお湯が、狭い空間部である出口室内を通過するため、出口室内においてお湯の水圧および流速を十分に確保することができる。このため、お湯が勢い良く吐出し、十分な撹拌効果をより確実に得ることができる。
【００１９】
発明［３］の浴槽用給湯口アダプターによれば、吸込側の開口から髪の毛が吸い込まれて、吸引側の流路に対応する圧抜き孔が負圧となった際に、リブによって、圧抜き孔に髪の毛がまとわり付くのを防止できるため、圧抜き孔からお湯が確実に吸い込まれて、吸込側開口の吸引力を軽減でき、吸込側の開口に吸い込まれた髪の毛を、簡単に抜き取ることができる。
【００２０】
発明［４］の浴槽用給湯口アダプターによれば、吐出側の開口がゴミ詰まりした際に、複数の圧抜き孔から均等にお湯が吐出されることにより、お湯が偏って吐出されるのを有効に防止することができる。
【００２１】
発明［５］［６］の浴槽用給湯口アダプターによれば、上記の効果をより一層確実に得ることができる。
【図面の簡単な説明】
【００２２】
【図１】図１はこの発明の実施形態である浴槽用給湯口アダプターを示す側面断面図である。
【図２】図２は実施形態の給湯口アダプターを分解して示す斜視図である。
【図３】図３は実施形態の給湯口アダプターにおける雄ねじ部材の一部を拡大して示す斜視図である。
【図４】図４は実施形態における給湯口アダプターの流路仕切部材をフィルター取付状態で示す側面断面図である。
【図５Ａ】図５Ａは実施形態の流路仕切部材を前蓋取外状態で示す正面図である。
【図５Ｂ】図５Ｂは実施形態の流路仕切部材を前蓋取外状態で示す側面図である。
【図５Ｃ】図５Ｃは実施形態の流路仕切部材を前蓋取外状態で示す側面断面図である。
【図５Ｄ】図５Ｄは実施形態の流路仕切部材を前蓋取外状態で示す下面図である。
【図６】図６は実施形態の流路仕切部材を示す背面図である。
【図７Ａ】図７Ａは実施形態における流路仕切部材の前蓋を示す正面図である。
【図７Ｂ】図７Ｂは実施形態における流路仕切部材の前蓋を示す裏面図である。
【図８Ａ】図８Ａは実施形態の給湯口アダプターの開口周辺を拡大して示す側面断面図である。
【図８Ｂ】図８Ｂは図８Ａの図からフィルター部材を取り外した状態で示す側面断面図である。
【図９】図９は実施形態の給湯口アダプターにおけるストレーナを説明するための正面図である。
【図１０Ａ】図１０Ａは実施形態の給湯口アダプターにおけるストレーナを吐出方向から見た図である。
【図１０Ｂ】図１０Ｂは実施形態の給湯口アダプターにおけるストレーナを分解した状態で吐出方向から見た図である。
【図１１】図１１は実施形態の給湯口アダプターにおけるストレーナの一方突起を示す図であって、同図（ａ）は正面図、同図（ｂ）は下面図、同図（ｃ）は側面図である。
【図１２】図１１は実施形態の給湯口アダプターにおけるストレーナの他方突起を示す図であって、同図（ａ）は正面図、同図（ｂ）は下面図、同図（ｃ）は側面図である。
【図１３Ａ】図１３Ａは実施形態の給湯口アダプターにおけるフィルター部材を示す正面図である。
【図１３Ｂ】図１３Ｂは実施形態のフィルター部材を示す背面図である。
【図１３Ｃ】図１３Ｃは実施形態のフィルター部材を示す側面図である。
【図１３Ｄ】図１３Ｄは実施形態のフィルター部材を示す側面断面図である。
【図１４Ａ】図１４Ａは実施形態のフィルター部材におけるメッシュシート周辺を拡大して示す正面断面図である。
【図１４Ｂ】図１４Ｂは図１４Ａの分解図である。
【図１５Ａ】図１５Ａは実施形態のフィルター部材の環状内枠を示す正面図である。
【図１５Ｂ】図１５Ｂは実施形態の環状内枠を示す底面図である。
【図１５Ｃ】図１５Ｃは実施形態の環状内枠を示す側面図である。
【図１５Ｄ】図１５Ｄは図１５ＢのＤ−Ｄ線断面図である。
【図１６】図１６は実施形態のフィルター部材のメッシュシートを示す正面図である。
【発明を実施するための形態】
【００２３】
図１，２はこの発明の実施形態である浴槽用給湯口アダプターを示す図である。両図に示すように、この実施形態の給湯口アダプターは、浴槽の側壁Ｗに設けられた取付孔Ｈに組み付けられる。この給湯口アダプターは、室外の給湯機から供給されたお湯を浴槽内に供給する湯はり処理の他に、浴槽内のお湯（水）を吸い込んで室外の給湯機に送り、そこで再加熱して、高温のお湯を浴槽内に戻すようにした追い焚き処理を行えるものである。
【００２４】
なおこの給湯口アダプターは、以下に詳述するように、このアダプターが備える２つの外管接続部１ａ，１ｂに対して、給湯機につながる往き管および戻り管のどちらを接続しても使用可能な、いわゆる無極性タイプのものである。さらにこの給湯口アダプターは、内部に、逆流防止弁等のお湯の流動を制御するための流動制御弁が設けられない弁無しタイプのものである。
【００２５】
本実施形態の給湯口アダプターは、槽外取付部材１と、雄ねじ部材２と、流路仕切部材３と、カバー部材としてのフィルター部材９とを基本的な構成要素として備えている。なお、本明細書の説明においては、給湯口アダプターの軸心方向に沿って浴槽に対して内側（図１の左側）を「前側」または「正面側」とし、浴槽に対して外側（図１の右側）を「後側」または「裏面側」として説明する。
【００２６】
図１，２に示すように槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５と、外筒部１２の後端閉塞壁に設けられる管状の第１，第２外管接続部１ａ，１ｂとを一体に有している。
【００２７】
内筒部１１の内部空間は、後述の内側流路Ａの一部として構成されるとともに、内筒部１１および外筒部１２間の環状空間は、後述の外側流路Ｂの一部として構成されている。上記第１外管接続部１ａが内側流路Ａに連通されるとともに、第２外管接続部１ｂが外側流路Ｂに連通されている。
【００２８】
外筒部１２の前部内周面には、雄ねじ部材２をねじ込んで固定するための雌ねじが刻設されている。
【００２９】
槽外取付部材１のフランジ部１５の外周縁部には、そのフランジ部１５と浴槽外壁面との間の水密を図るための合成樹脂製のパッキン８２が取り付けられている。
【００３０】
図１，２に示すように雄ねじ部材２は、前後両端が開放された円筒形状の胴部２１と、その胴部２１の前端外周に設けられた平板リング状のフランジ部２５とを一体に有する鍔付き円筒形状に形成されている。
【００３１】
胴部２１の外周側面には、上記槽外取付部材１における外筒部１２の雌ねじに対応して、雄ねじが刻設されており、胴部２１を槽外取付部材１の外筒部１２内にねじ込んで固定できるようになっている。
【００３２】
図２，３に示すようにフランジ部２５の前面側には、周方向に沿って所定の間隔おきに複数のロック凹部２６が形成されている。
【００３３】
さらにフランジ部２５の外周縁部には、周方向に間隔をおいて複数の係止溝２７が形成されている。各係止溝２７は、前面側（入口側）において周方向の一端のみが開放されるとともに、後面側（奥側）において周方向の全域が開放されており、側方（外径方向）から見た状態においてＬ字形に形成されている。
【００３４】
雄ねじ部材２におけるフランジ部２５の後面側（裏面側）には、浴槽内壁面との間に介在されるように、合成ゴム製のリング状パッキン８３が設けられている（図１参照）。
【００３５】
そして、槽外取付部材１のフランジ部１５が、浴槽の外壁面における取付孔Ｈの周縁部に沿うように配置された状態で、雄ねじ部材２のフランジ部２５が、パッキン８３を介して浴槽内壁面における取付孔Ｈの周縁部に圧接されるようにして、雄ねじ部材２の胴部２１が取付孔Ｈを通じて、槽外取付部材１の外筒部１２にねじ込まれて固定される。これにより両部材１，２のフランジ部１５，２５によって、浴槽側壁Ｗにおける取付孔周縁部が挟持されて、両部材１，２が浴槽側壁Ｗに貫通状態に組み付けられる。
【００３６】
図４〜６に示すように、流路仕切部材３は、軸心方向（前後方向）に延びる細長い円筒形状の円筒部３１と、その円筒部３１の前端部に設けられた略円盤状の槽内突出部４とを有している。
【００３７】
槽内突出部４は、内部に複数の流路が設けられる中空構造を有しており、正面視で円形の後壁４１と、後壁４１の前面側外周を囲うようにして一体に形成された周側壁４２と、前面の所要部分を閉塞する前壁としての前蓋５とを備えている。
【００３８】
円筒部３１は、後述するように槽外取付部材１の内筒部１１に接続されるものであり、円筒部３１の内部と、それに連通する槽外取付部材１における内筒部１１の内部とによって、内側流路Ａが形成される。さらに円筒部３１は、後述するように雄ねじ部材２の胴部２１の内部に配置されるものであり、円筒部３１および胴部２１間の環状空間と、それに連通する槽外取付部材１における内筒部１１および外筒部１２間の環状空間とによって、外側流路Ｂが形成される。
【００３９】
槽内突出部４の後壁４１には、円筒部３１に対応して、第１連通孔４１ａが形成されるとともに、円筒部３１の側方に対応して、円弧状の第２連通孔４１ｂが形成されている。さらに周側壁４２の下部両側には、第１，第２開口４２ａ，４２ｂが形成されている。
【００４０】
図５Ａ等に示すように後壁４１の前面側には、複数の仕切壁４３が形成されており、この仕切壁４３によって、槽内突出部４内に、互いに独立する第１，第２流路４３ａ，４３ｂが形成されている。
【００４１】
第１流路４３ａは、第１連通孔４１ａから第１開口４２ａにかけて形成されており、第１連通孔４１ａを介して、槽内突出部４の後方における円筒部３１の内側（内側流路Ａ）に連通されるとともに、第１開口４２ａを介して、外部（浴槽内）に開放されている。
【００４２】
第２流路４３ｂは、第２連通孔４１ｂから第２開口４２ｂにかけて形成されており、第２連通孔４１ｂを介して、槽内突出部４の後方における円筒部３１の外側（外側流路Ｂ）に連通されるとともに、第２開口４２ｂを介して、外部（浴槽内）に開放されている。
【００４３】
また後壁４１の前面側における中央上部には、ロックピン取付部４４が形成されている（図５Ａ等参照）。
【００４４】
さらに後壁４１の前面側における第１，第２流路４３ａ，４３ｂの上下には、上記ロックピン取付部４４の部分を除いて、上下方向に延びる仕切壁部分４５，４５が形成されている。
【００４５】
この仕切壁部分４５，４５は、前蓋５に設けられた後述の仕切壁部分５５と協同で、槽内突出部４の前面に上下方向に連続する仕切壁が形成されるようになっている。
【００４６】
一方、図５Ｃ，６に示すように、槽内突出部４の周側壁４２における後端部には、全周にわたって後方へ突出する後方突縁部４６が設けられており、その後方突縁部４６の内周側の数箇所に係止突起４７が周方向に間隔をおいて突設されている。
【００４７】
槽内突出部４における周側壁４２の外周側面には、周方向に沿って間隔をおいて複数の係止溝４８が形成されている。各係止溝４８は、前面側（入口側）において周方向の一端のみが開放されるとともに、後面側（奥側）において周方向に沿って延びるように形成されており、側方（外径方向）から見た状態において略Ｌ字形に形成されている。
【００４８】
図７Ａ，７Ｂに示すように、前蓋５は、正面視において略山型に形成されており、第１，２流路４３ａ，４３ｂの前面側を閉塞するようにして取り付けられている。
【００４９】
図８Ａに示すように、前蓋５の両側縁部は、切り欠かれるように形成されて、後壁４１の周縁部よりも内側（軸心側）に配置されている。これにより、前蓋５の両側縁部の外側に、第１，第２前方開放部４９ａ，４９ｂが形成され、この第１，第２前方開放部４９ａ，４９ｂを介して第１，第２流路４３ａ，４３ｂが前方に向けて開放する。なお、第１，第２前方開放部４９ａ，４９ｂは、第１第２開口４２ａ，４２ｂに連通しており、第１，第２前方開放部４９ａ，４９ｂと、第１第２開口４２ａ，４２ｂとによって、第１，第２流路４３ａ，４３ｂの近傍が、前面から外側面にかけて大きく開放される。
【００５０】
また図２，５Ａ，７Ａに示すように、前蓋５の前面における左右方向の中間位置には、上下方向に連続する仕切壁部分５５が前方へ突出状に形成されており、この仕切壁部分５５と、上記仕切壁部分４５とで既述したように仕切壁が形成されるようになっている。
【００５１】
図５Ａ，９に示すように、第１，２流路４３ａ，４３ｂの開口近傍における内周面の後面には、換言すると、第１，２流路４３ａ,４３ｂの開口近傍における後壁４１の前面には、流路４３ａ，４３ｂを周方向に沿って所定の間隔おきに複数の一方突起７１が形成されている。各一方突起７１は、互いに並行で、前方に向けて突出するように形成されており、図１０Ｂに示すように吐出方向の下流側から見た状態では、全体として、歯先が前方（図１０Ｂでは上方）に向いた櫛状に形成されている。
【００５２】
また各一方突起７１は、それぞれ先端が後壁４１と前蓋５との間のほぼ中間位置に配置されるように突出寸法が設定されている。
【００５３】
ここで、本実施形態においては、流路４３ａ，４３ｂの内周面における前面および後面が、対向し合う２つの対向面であり、前面が他方の対向面を構成し、後面が一方の対向面を構成している。さらに周方向は、流路４３ａ，４３ｂを横切る方向に相当する。
【００５４】
図１１に示すように、一方突起７１における吐出方向（外向き方向）Ｄ１に対し上流側の端部には、ガイド部７２が形成されている。このガイド部７２は、周方向（図１１（ａ）の上下方向）の寸法を幅寸法としたとき、吐出方向Ｄ１に対し上流側に向かうに従って幅寸法が次第に細くなるようにテーパー形状に形成される。さらにこのガイド部７２は、吐出方向Ｄ１に対し上流側に向かうに従って突出寸法（図１１（ｂ）の上下方向）が次第に小さくなるように形成されている。
【００５５】
また、一方突起７１における吸込方向（内向き方向）Ｄ２に対し上流側の端部は、吸込方向Ｄ２に対し垂直な平坦面７３に形成されている。
【００５６】
図７Ｂ，９に示すように、第１，第２流路４３ａ，４３ｂの開口近傍における内周面の前面には、換言すると、第１，第２流路４３ａ，４３ｂの開口近傍における前蓋５の後面には、周方向に沿って所定の間隔おきに複数の他方突起７５が形成されている。各他方突起７５は、互いに並行で、後方に向けて突出するように形成されており、図１０Ｂに示すように吐出方向Ｄ１の下流側から見た状態では、全体として、歯先が後方（図１０Ｂでは下方）に向いた櫛状に形成されている。
【００５７】
各他方突起７５は、各先端が後壁４１と前蓋５との間のほぼ中間位置に配置されるように突出寸法が設定されている。さらに、各他方突起７５は、上記複数の一方突起７１の各間に対応してそれぞれ配置されている。従って、複数の一方突起７１と、複数の他方突起７５との先端同士が、後壁４１および前蓋５の中間位置で、周方向の線上に配置されて、一方突起７１と他方突起７５との間に周方向に連続する略矩形波（方形波）状の隙間が形成されるようになっている。
【００５８】
さらに図１２に示すように、他方突起７５における吐出方向（外向き方向）Ｄ１に対し上流側の端部には、ガイド部７６が形成されている。このガイド部７６は、周方向（図１２（ａ）の上下方向）の寸法を幅寸法としたとき、吐出方向Ｄ１に対し上流側に向かうに従って幅寸法が次第に細くなるようにテーパー形状に形成される。さらにこのガイド部７６は、吐出方向Ｄ１に対し上流側に向かうに従って突出寸法（図１２（ｂ）の上下方向）が次第に小さくなるように形成されている。
【００５９】
また、他方突起７５における吸込方向（内向き方向）Ｄ２に対し上流側の端部は、吸込方向Ｄ２に対し垂直な平坦面７７に形成されている。
【００６０】
ここで、本実施形態においては、複数の一方突起７１と、複数の他方突起７５とが、ストレーナ７として機能する。さらに複数の一方突起７１の各間と、複数の他方突起７５の各間と、両突起７１，７５間の隙間とが、ストレーナ７の通水部７０として機能するようになっている。
【００６１】
なおストレーナ７の吸込方向Ｄ２に対し上流側の端部（外側端部）は、前蓋５の両側端縁に対応する位置に配置されている。従ってストレーナ７は、第１，第２前方開放部４９ａ，４９ｂに隣接している。
【００６２】
図７Ａ，７Ｂ，８Ａに示すように前蓋５には、他方突起７５における吐出方向Ｄ１に対し上流側に対応して、複数の第１，第２圧抜き孔５１ａ，５１ｂが周方向に並んで形成されている。各圧抜き孔５１ａ，５１ｂは、前蓋５を前後に貫通するように形成されており、この圧抜き孔５１ａ，５１ｂによって、流路仕切部材３における第１，第２流路４３ａ，４３ｂと、流路仕切部材３の前方外側との間が連通されている。
【００６３】
前蓋５の前面における第１，第２圧抜き孔５１ａ，５１ｂの周辺には、リブ５３，５３が前方に突出するように形成される。各リブ５３，５３は、前蓋５の両側縁部における第１，第２開口４２ａ，４２ｂに対応する部分を除いて、圧抜き孔５１ａ，５１ｂを数個ずつ取り囲むように形成されている。そしてこれらの各リブ５３，５３と、後述するフィルター部材９の環状内枠９５とによって、前蓋５の前面側における圧抜き孔５１ａ，５１ｂの周辺が囲まれて、この囲まれた部分が第１，第２出口室５０ａ，５０ｂとして構成される。これにより、第１，第２出口室５１ａ，５０ｂがそれぞれ複数設けられ、各第１，第２出口室５１ａ，５１ｂ内に、圧抜き孔５１ａ，５１ｂがそれぞれ複数固ずつ配置されているようになっている。
【００６４】
なお本実施形態においては、リブ５３および後述のフィルター部材９の環状内枠９５によって、第１，第２出口室５０ａ，５０ｂの周囲壁が構成されている。つまりリブ５３によって、第１，第２出口室５０ａ，５０ｂの周囲壁の一部が構成されている。
【００６５】
また前蓋５の裏面における圧抜き孔５１ａ，５１ｂの吐出方向Ｄ１に対し上流側（内側）には、圧抜き孔５１ａ，５１ｂが形成されている領域の範囲内において、周方向に連続するリブ状の流動制御突起５４が後方に突出するように形成されている。
【００６６】
この流動制御突起５４は、その吐出方向Ｄ１に対し上流側の面が斜め切り状に形成されて、その面が吐出方向Ｄ１に傾斜する傾斜面に形成されている。
【００６７】
以上の構成の流路仕切部材３を、浴槽側壁Ｗに組み付けられた上記槽外取付部材１および雄ねじ部材２に組み付けるには、図１，２に示すように、流路仕切部材３における槽内突出部４の後方突縁部４６を、雄ねじ部材２のフランジ部２５に前面側から外嵌しつつ、流路仕切部材３の係止突起４７を、雄ねじ部材２側の係止溝２７に前面側から挿入する。続けて、流路仕切部材３を周方向に少量捻回操作することにより、流路仕切部材３の係止突起４７を、係止溝２７の入口側から周方向に位置ずれした奥端位置に侵入させて、流路仕切部材３を雄ねじ部材２に対して前方へ抜け出し不能とする。
【００６８】
その後、流路仕切部材３のロックピン取付部４４に取り付けたロックピン（図示省略）を押し込み、そのロックピンの先端を、雄ねじ部材２において対応するいずれかのロック凹部２６に嵌め込む。これにより、流路仕切部材３は、雄ねじ部材２に対し捻回不能となるため、流路仕切部材３の雄ねじ部材２との組付が意に反して解除されるのを防止することができる。
【００６９】
この組付状態では、流路仕切部材３における円筒部３１の外周面に設けられたＯリング８１（図１参照）によって、その円筒部３１と、槽外取付部材１の内筒部１１との間の水密が図られるとともに、流路仕切部材３の槽内突出部４の後面に設けられたパッキン８４によって、流路仕切部材３の槽内突出部４と、雄ねじ部材２のフランジ部２５との間の水密が図られるようになっている。
【００７０】
なお図２，３等に示すように、雄ねじ部材２のロック凹部２６および係止溝２７は、周方向に沿って複数設けられており、各ロック凹部２６および各係止溝２７のいずれにも、流路仕切部材３の上記ロックピン５よび係止突起４７を係合できるようになっている。従って流路仕切部材３は、所望の回転位置で取り付けることができるようになっている。本実施形態においては、流路仕切部材３を、その２つの開口４２ａ，４２ｂが下部両側に配置されるような回転位置で取り付けている。
【００７１】
このように流路仕切部材３を組み付けた状態においては、内側流路Ａが、流路仕切部材３の第１連通孔４１ａを通じて、流路仕切部材３の第１流路４３ａに連通されるとともに、外側流路Ｂが、流路仕切部材３の第２連通孔４１ｂを通じて、流路仕切部材３の第２流路４３ｂに連通されている。従って、室外給湯機から槽外取付部材１の第１外管接続部１ａに供給されたお湯（水）は、内側流路Ａおよび第１流路４３ａを通って、第１開口４２ａから浴槽内に吐出するようになっている。さらに室外給湯機から槽外取付部材１の第２外管接続部１ｂに供給されたお湯（水）は、外側流路Ｂおよび第２流路４３ｂを通って、第２開口４２ｂから浴槽内に吐出するようになっている。
【００７２】
なお本実施形態の給湯口アダプターにおいて、槽外取付部材１、雄ねじ部材２および流路仕切部材３によって構成されるもの、換言すればフィルター部材９が取り付けられない状態のものをアダプター本体と称する。
【００７３】
図１３Ａ〜１３Ｄ等に示すようにフィルター部材９は、金属製薄板のプレス成形品によって構成されたフィルターカバー９０と、そのフィルターカバー９０の内側に装着される環状内枠９５とを基本的な構成要素として備えている。
【００７４】
フィルターカバー９０は、円筒状の周側壁９２と、その周側壁９２の前面側に設けられた前壁９１とを有している。
【００７５】
周側壁９２には、上記流路仕切部材３の第１，第２開口４２ａ，４２ｂに対応して、第１，第２開口９２ａ，９２ｂが形成されている。周側壁９２における第１，第２開口４２ａ，４２ｂの周縁部には、その周縁部が内側に曲げ加工されることにより、内曲げ部９２１，９２１が形成されている。さらに周側壁９２には、周方向に間隔をおいて、複数の係合孔９２２が形成されている。
【００７６】
前壁９１の外周縁部を除く中央部の全域に、多数の小孔からなる通水孔９４が形成されている。
【００７７】
本実施形態においては、フィルターカバー９０における第１，第２開口９２ａ，９２ｂが、それぞれ外側開口として構成されている。さらに通水孔９４によって、お湯の通過を許容する通水部が構成される。
【００７８】
図１５Ａ〜１５Ｄ等に示すように環状内枠９５は、例えば硬質合成樹脂の一体成形品等によって構成されており、槽内突出部４の周側壁（周側面）に沿って配置可能に構成されている。この環状内枠９５は、フィルターカバー９０の周側壁９２内に適合状態に収容される周側壁９６を備えている。
【００７９】
周側壁９６の前端全周には、内側に向かって突出する内向き突縁部９６１が形成されている。この内向き突縁部９６１は、孔等の通水部がなく、お湯が通過できないようになっている。本実施形態においては、内向き突縁部９６１が、第１，第２開口４２ａ，４２ｂの近傍における第１，第２流路４３ａ，４３ｂを構成する周壁部の一部としての流路周壁片として構成される。
【００８０】
周側壁９６の後端全周には、外側に向かって突出する外向き突縁部９６３が形成されている。さらに周側壁９６には、フィルターカバー９０の上記複数の係合孔９２２に対応して、外側に突出し、かつ弾性を有する複数の係合突起９６２が形成されている。
【００８１】
また周側壁９６の内側面には、上記流路仕切部材４の係止溝４８に対応して、周方向に所定の間隔おきに３つの係止突起９８が内側に突出するように形成されている。
【００８２】
周側壁９６には、上記フィルターカバー９０の第１，第２開口９２ａ，９２ｂに対応して、第１，第２開口９７ａ，９７ｂが形成されている。
【００８３】
この第１，第２開口９７ａ，９７ｂの周縁部は、その全周が内側に凹むように凹陥形成されて、シート設置面９７１が形成されている。
【００８４】
図１４Ａ，１４Ｂに示すように、環状内枠９５におけるシート設置面９７１の周方向の両端部には、シート設置面９７１を外側から覆うように、シート抑え片９７２が形成されている。
【００８５】
本実施形態においては、このシート抑え片９７２の内側面、つまりシート設置面９７１との対向面と、シート設置面９７１の両側端部とによって、シート取付溝９７５，９７５が形成されている。両側のシート取付溝９７５，９７５は、開放方向が互いに対向し合うように形成されている。さらにシート抑え片９７２の内側面は傾斜面に形成されて、これにより、シート取付溝９７５，９７５は、奥側に向かうに従って次第に幅サイズが狭くなる正面断面視で略Ｖ字状のＶ溝によって構成されている。
【００８６】
シート取付溝９７５，９７５は、図１５Ｂの正面図等に示すように、前面側に開放しており、その前面開口部を介して前方から、後述のメッシュシート６の両端部を挿入できるようになっている。
【００８７】
本実施形態においては、環状内枠９５における第１，第２開口９７ａ，９７ｂが、それぞれ内側開口として構成されている。さらに環状内枠９５における第１，第２開口９７ａ，９７ｂと、フィルターカバー９０における第１，第２開口９２ａ，９２ｂとによって、フィルター部材９の第１，第２開口（吐出側開口、吸込側開口）が構成される。さらにこのフィルター部材９の第１，第２開口、またはその第１，第２開口に設けられるメッシュシート６，６によって、お湯の通過を許容する通水部が構成される。また環状内枠９５の周側壁９６と、上記フィルターカバー９０の周側壁９２とによって、フィルター部材９の周側壁が構成されている。
【００８８】
環状内枠９５の第１，第２開口９７ａ，９７ｂには、シート状フィルター素材としてのメッシュシート６，６が取り付けられる。
【００８９】
本実施形態において、メッシュシート６，６は、外周縁部を除く中間領域に多数の小孔６１，６１が形成された極薄の金属シートによって構成されており、柔軟性ないし可撓性を有している。なお本実施形態においては、メッシュシート６に、小孔６１を形成する方法として、ウェットエッチング等のエッチング処理を採用している。
【００９０】
図１４Ａ，１４Ｂに示すように、このメッシュシート６，６を環状内枠９５の例えば第１開口９７ａに取り付けるには、メッシュシート６の長さ方向の両端部を、対応する両側のシート取付溝９７５，９７５に、その前面開口部（図１５Ｂ参照）から差し込む。これにより、メッシュシート６を、第１開口９７ａの周縁部におけるシート設置面９７１上に設置する。このシート設置状態においては、メッシュシート６の両端が、Ｖ字状のシート取付溝９７５，９７５の奥まで差し込まれた状態となり、メッシュシート６の両端がシート抑え片９７２とシート設置面９７１とで挟持されるような状態となる。従ってメッシュシート６を、第１開口９７ａに安定した状態に仮止めすることができる。
【００９１】
また環状内枠９５の第２開口９７ｂにおいても、上記と同様に、メッシュシート６に仮止め状態に取り付ける。
【００９２】
こうしてフィルター６，６を仮止めした環状内枠９５に、上記フィルターカバー９０を組み付ける。
【００９３】
すなわちフィルターカバー９０によって、環状内枠９５を前方から覆うようにして、フィルターカバー９０の周側壁９２を、環状内枠９５の周側壁９６の外側に嵌め込む。このとき図１３Ｃ，１３Ｄに示すように、環状内枠９５の係合突起９６２を、フィルターカバー９０の係合孔９２２に弾性係合させることにより、フィルターカバー９０を環状内枠９５に不用意に外れない状態に固定する。
【００９４】
こうしてフィルターカバー９０が環状内枠９５に取り付けられて、フィルター部材９が組み立てられる。
【００９５】
この組付状態においては、図１３Ｄ等に示すように、環状内枠９５の内向き突縁部９６１が、フィルターカバー９０の前壁９１における外周縁部に接触し、かつ環状内枠９５の外向き突縁部９６３がフィルターカバー９０の周側壁９２における後端縁に接触する。
【００９６】
さらにこの組付状態においては、フィルターカバー９０の第１，第２開口９２ａ，９２ｂが、環状内枠９５の第１，第２開口９７ａ，９７ｂ、メッシュシート６，６に対応して配置される。さらに図１４Ａに示すようにフィルターカバー９０における第１，第２開口９２ａ，９２ｂの周縁部の内曲げ部９２１，９２１が、メッシュシート６，６の外周縁部に対向して配置され、その内曲げ部９２１，９２１によって、メッシュシート６，６の外周縁部がシート設置面９７１側に抑え付けられるように固定される。これによりメッシュシート６，６が、第１，第２開口９２ａ，９７ａ，９２ｂ、９７ｂに十分な強度で安定した状態に取り付けられる。
【００９７】
図１，２に示すように、この構成のフィルター部材９を、アダプター本体に組み付けるには、フィルター部材９の周側壁９２，９６を、流路仕切部材３の槽内突出部４にその前面側から外嵌しつつ、フィルター部材９における環状内枠９５の係止突起９８を、槽内突出部４側の係止溝４８に前面側から挿入する。その後、フィルター部材９を周方向に少量捻回操作することにより、フィルター部材９の係止突起９８を、係止溝４８の入口側から周方向に位置ずれした奥端位置に侵入させる。これにより、フィルター部材９を槽内突出部４に対し前方へ抜け止め不能とした状態に組み付ける。
【００９８】
なお、フィルター部材９を上記と反対方向に捻回操作して、フィルター部材９の係止突起９８を、係止溝４８の奥端位置から入口側に移動させれば、フィルター部材９を槽内突出部４から取り外すことができるようになっている。
【００９９】
ここで、本実施形態においては、フィルター部材９をアダプター本体に組み付けた状態においては、流路仕切部材３の槽内突出部４に設けられた仕切壁部分４５，５５によって、槽内突出部４の前面とフィルター９との間（フィルター部材内部）が左右に分離されている。このため後述するように、第１，第２圧抜き孔５１ａ，５１のうち、一方の圧抜き孔から吐出したお湯が、フィルター部材９の内部を通って直接、他方の圧抜き孔や他方の開口に吸い込まれるような不具合、いわゆるショートサーキットを確実に防止することができる。
【０１００】
また図８Ａに示すように環状内枠９５の内向き突縁部９６１と、流路仕切部材３の前面に設けられたリブ５３とによって、第１，第２圧抜き孔５１ａ，５１ｂにおける前方の周囲が囲まれて、既述したように第１，第２出口室５０ａ，５０ｂが形成される。この第１，第２出口室５０ａ，５０ｂは、フィルター部材９の前壁９１における通水孔９４を介して、フィルター部材９の前方に開放されている。
【０１０１】
また流路仕切部材３の第１，第２開口４２ａ，４２ｂは、フィルター部材９の第１，第２開口９２ａ，９７ａ，９２ｂ、９７ｂに対向して配置される。
【０１０２】
さらに流路仕切部材３における第１，第２開口４２ａ，４２ｂの前方側に位置する第１，第２前方開放部４９ａ，４９ｂが、フィルター部材９の環状内枠９５における内向き突縁部９６１によって閉塞されている。換言すれば、内向き突縁部９６１，９６１が、第１，第２開口４２ａ，４２ｂの近傍において、第１，第２流路４３ａ，４３ｂを構成する周壁の一部である前壁（流路周壁片）を構成している。従って、フィルター部材９をアダプター本体から取り外した際には、図８Ｂに示すように、第１，第２流路４３ａ，４３ｂにおける第１，第２開口４２ａ，４２ｂの近傍が、第１，第２前方開放部４９ａ，４９ｂおよび第１，第２開口４２ａ，４２ｂを介して前方から側方にかけて大きくに開放される。
【０１０３】
以上のように構成された本実施形態の給湯口アダプターは、既述したように室外給湯機と配管接続する際に、槽外取付部材１における２つの外管接続部１ａ，１ｂに対して、室外給湯機につながる往き管および戻り管のどちらを接続しても使用可能な無極性タイプのものである。例えば第１外管接続部１ａに往き管、第２外管接続部１ｂに戻り管を接続した状態において、追い焚き処理を行った場合には、給湯機から供給されるお湯が往き管および第１外管接続部１ａを通って内側流路Ａに導入され、さらにそのお湯が内側流路Ａおよび流路仕切部材３の第１流路４３ａを通って、図８Ａの矢符Ｆ１に示すように、流路仕切部材３の第１開口４２ａ、およびフィルター部材９の第１開口９２ａ，９７ａにおけるメッシュシート６を通って浴槽内に供給される。
【０１０４】
吸込側では、給湯機の吸引力によって、戻り管および外側流路Ｂが負圧に設定されるため、流路仕切部材３の第２流路４３ｂも負圧となる。従って、図８Ａの矢符Ｆ２に示すように、浴槽内のお湯（水）は、フィルター部材９の第２開口９２ｂ，９７ｂにおけるメッシュシート６、および流路仕切部材３の第２開口４２ｂを通って、流路仕切部材３の第２流路４３ｂに吸い込まれて、さらにその湯が外側流路Ｂおよび戻り管を通って給湯機に戻される。
【０１０５】
従ってこのように配管接続された場合には、第１開口４２ａおよび第１流路４３ａが、吐出側の開口（吐出口）および吐出側の流路（吐出流路）として機能し、第２開口４２ｂおよび第２流路４３ｂが、吸込側（吸引側）の開口（吸込口、吸引口）および吸込側の流路（吸込流路、吸引流路）として機能する。
【０１０６】
また、第２外管接続部１ｂに往き管、第１外管接続部１ａに戻り管を接続した状態で、追い焚き処理を行った場合には、上記とは逆方向に循環する。すなわち給湯機からのお湯が、往き管、第２外管接続部１ｂ、外側流路Ｂ、第２流路４３ｂ、第２開口４２ｂおよびフィルター部材９のメッシュシート６を通って浴槽内に供給されるとともに、浴槽内のお湯は、フィルター部材９のメッシュシート６、第１流路４３ａ、内側流路Ａ、第１外管接続部１ａおよび戻り管を通って給湯機に戻される。
【０１０７】
従ってこのように配管接続された場合には、第２開口４２ｂおよび第２流路４３ｂが、吐出側の開口（吐出口）および吐出側の流路（吐出流路）として機能し、第１開口４２ａおよび第２流路４３ａが、吸込側の開口（吸込口、吸引口）および吸引側の流路（吸込流路、吸引流路）として機能する。
【０１０８】
また本実施形態において、湯はり処理時には、給湯機から往き管および戻り管の双方にお湯が供給されて、そのお湯が第１，第２外管接続部１ａ，１ｂ、流路Ａ，Ｂ、第１，第２流路４３ａ，４３ｂ、第１，第２開口４２ａ，４２ｂおよびフィルター部材９における第１，第２開口９２ａ，９７ａ，９２ｂ、９７ｂのメッシュシート６，６を通って浴槽内に供給される。
【０１０９】
以上のように構成された本実施形態の給湯口アダプターによれば、流路仕切部材３の開口４２ａ，４２ｂに、交互に配置された複数の一方突起７１および複数の他方突起７５によってストレーナ７を形成しているため、フィルター部材９を取り外した状態で使用した際、流路仕切部材３の開口４２ａ，４２ｂのうち吸込側の開口、例えば第２開口（吸込口）４２ｂから、入浴者の髪の毛等が吸い込まれようとしても、髪の毛がアダプター内部に吸い込まれてしまうのを防止することができる。
【０１１０】
また一方突起７１および他方突起７５間の通水部７０をお湯がスムーズに通過することにより、優れた通水性能（吸引性能）を得ることができる。
【０１１１】
なお言うまでもなく、第１開口４２ａ側にも、一方突起７１および他方突起７５からなるストレーナ７を形成しているため、第１開口４２ａが吸込側の開口となった場合でも、上記と同様に、異物がアダプター内に侵入するのを防止することができるとともに、優れた通水性能を得ることができる。
【０１１２】
また仮に、フィルター部材９を取り外した状態で、多量の髪の毛が吸込口４２ｂから吸い込まれたとしても、その髪の毛を簡単に抜き取ることできる。すなわち、髪の毛が吸い込まれて吸込口４２ｂが閉塞されると、一時的に、流路仕切部材３の第２流路（吸込流路）４３ｂ内の負圧が高くなり、吸引力が強くなるものの、流路仕切部材３の前蓋５に、吸込流路４３ｂに連通する第２圧抜き孔５１ｂを形成しているため、図８Ｂの矢符Ｆ３に示すように、負圧の上昇に伴って、槽内のお湯が圧抜き孔５１ｂから吸込流路４３ｂ内に吸い込まれる。これにより、吸込流路４３ｂ内の負圧が軽減されて、吸引力が低下するため、吸込口４２ｂに吸い込まれた髪の毛を、弱い力で無理なく簡単に抜き取ることができる。
【０１１３】
さらに図８Ｂに示すように、圧抜き孔５１ｂの周辺にリブ５３を形成しているため、吸込口４２ｂから髪の毛が吸い込まれたとしても、リブ５３によって、圧抜き孔５１ｂに髪の毛がまとわり付くのを防止することができ、圧抜き孔５１ｂからのお湯の吸込を確実に行うことができ、吸込口４２ｂに吸い込まれた髪の毛を、より一層簡単に抜き取ることができる。
【０１１４】
なお言うまでもなく、流路仕切部材３の第１開口４２ａ側が吸込口となる場合であっても、その吸込口４２ａから髪の毛が吸い込まれたとしても、上記と同様に、髪の毛を簡単に抜き取ることができる。
【０１１５】
また本実施形態においては、アダプター本体にフィルター部材９が装着された際には、図８Ａに示すように、フィルター部材９のメッシュシート６，６が存在することによって、吸込口（開口４２ａまたは４２ｂ）に髪の毛等が吸い込まれることはないので、何ら不具合が生じることはない。
【０１１６】
一方、本実施形態において、開口４２ａ，４２ｂに設けられるストレーナ７は、交互に配置された一方突起７１および他方突起７５を備え、両突起７１，７５間に略波状の通水部７０を形成するものである。この通水部７０は、途切れずに連続するものであるため、既述したように髪の毛のような細長くて柔軟な繊維状の異物は通過できないものの、浴槽内で発生する湯垢のような粒状の異物は、比較的容易に通過することができる。
【０１１７】
従って、本実施形態においては、追い焚き時に吐出側となる開口、例えば第１開口（吐出口）４２ａ側に設けられたストレーナ７の内側に、湯垢等の異物が詰まって目詰まりが生じるのを防止することができる。すなわち、湯垢等の異物はお湯と共に、ストレーナ７の波状通水部７０を通過して吐出口４２ａから吐出するため、ストレーナ７の内側に、湯垢等のゴミが絡み付いて目詰まりが生じるのを有効に防止することができる。
【０１１８】
特に本実施形態においては、ストレーナ７を構成する一方突起７１および他方突起７５における吐出方向Ｄ１の上流側の端部に、上流側に向かうに従って次第に細くなるテーパー状のガイド部７２，７６を形成しているため、そのガイド部７２，７６のテーパー面で案内されることによって、湯垢等のゴミは突起７１，７５間の通水部７０にスムーズに導かれて、その通水部７０を通り抜ける。従って、ストレーナ７の内側にゴミが絡み付いて目詰まりが発生するのをより確実に防止することができる。
【０１１９】
その上さらに本実施形態においては、ガイド部７２，７５の突出寸法を、吐出方向Ｄ１に対し上流側に向かうに従って次第に小さくなるようにしているため、湯垢等を通水部７０により確実に導くことができ、湯垢等によるストレーナ内側のゴミ詰まりをより一層確実に防止することができる。
【０１２０】
ここで、フィルター部材９をアダプター本体に組み付けている場合には、湯はり時に、吐出口４２ａのストレーナ７を通って吐出した湯垢等のゴミが、フィルター部材９のメッシュシート６に絡み付いて、メッシュシート６にゴミ詰まり（目詰まり）が発生するおそれがある。
【０１２１】
そこで、本実施形態においては、圧抜き孔５１ａ，５１ｂを、フィルター部材９によって閉塞せずに、通水孔９４を介して前方へ開放しているため、図８Ａの矢符Ｆ４示すようにメッシュシート６にゴミＧが付着して目詰まりしても、お湯が第１流路４３ａから第１圧抜き孔５１ａを通って、フィルター部材９の通水孔９４を通って前方へ吐出することになる。従って、フィルター部材９のメッシュシート６の内側にゴミ詰まりが発生したとしても、お湯を確実に浴槽内に吐出することができ、ゴミ詰まりがあっても追い焚きや湯はりを確実に行うことができる。しかも圧抜き孔５１ａから吐出されるお湯は、通水孔９４を通って前方へ吐出されるため、そのお湯によって、良好な撹拌効果を得ることができる。
【０１２２】
さらに圧抜き孔５１ａを多数形成しているため、多数の圧抜き孔５１ａから均等にお湯が吐出されることにより、お湯が偏って吐出されるのを有効に防止することができる。
【０１２３】
また前蓋５の前面側における圧抜き孔５１ａの周囲を、リブ５３およびフィルター部材９の環状内枠９５によって取り囲むことにより、出口室５０ａを形成し、圧抜き孔５１ａから吐出されたお湯が、この出口室５０ａ内を通過するようにしている。この出口室５０ａは、容量が小さくて狭い空間部となっているため、出口室５０ａ内においてお湯の水圧を十分に確保でき、お湯の流速を十分に確保することができる。このため、お湯がフィルター部材９の前方へ勢い良く吐出され、十分な撹拌効果をより確実に得ることができる。
【０１２４】
なお、本実施形態では、多数の圧抜き孔５１ａが広範囲にわたって形成されているものの、出口室５０ａを複数形成して、各出口室５０ａ内に数個ずつ圧抜き孔５１ａを配置するようにしている。このため、各出口室５０ａの容量を小さくできて、各出口室５０ａでのお湯の流速を十分に確保することができる。
【０１２５】
また本実施形態において、第２開口４２ｂ側が吐出口となる場合であっても、上記と同様に、ゴミ詰まり時に、お湯を確実に浴槽内に供給できるとともに、十分な撹拌効果も得ることができる。
【０１２６】
ここで、ゴミ詰まり時に、圧抜き孔５１ａから吐出するお湯の一部が、フィルター部材９の内部を対流することがある。本実施形態においては、このお湯が、フィルター部材９の内部を通って、吸込口４２ｂ側に移動して吸込口４２ｂから吸い込まれるような不具合（ショートサーキット）を確実に防止することができる。すなわち本実施形態においては、流路仕切部材３の前面側に、フィルター部材９の内部を、吐出側と吸込側とに左右に分離する仕切壁４５，５５を形成しているため、吐出口４２ａ側からフィルター部材９の内部に吐出したお湯が、吸込口４２ｂのある吸込側に流動することはなく、上記ショートサーキットをより確実に有効に防止することができる。
【０１２７】
なお、第２開口４２ｂ側が吐出口となる場合であっても、同様に、ショートサーキットをに防止することができる。
【０１２８】
ここで、本実施形態においては、圧抜き孔５１ａ，５１ｂの孔径は、フィルター部材９の通水孔９４の孔径に対し同等もしくは大きく形成するのが良い。すなわち、圧抜き孔５１ａ，５１ｂの孔径が小さ過ぎる場合には、フィルター部材９の通水孔９４を通過した異物が、圧抜き孔５１ａ，５１ｂに詰まってしまうおそれがあるためである。具体的には、圧抜き孔５１ａ，５１ｂの孔径（内直径）は１．０ｍｍ程度に設定するのが良い。
【０１２９】
また本実施形態においては、第１開口４２ａの開口面積に対する第１圧抜き孔５１ａの総開口面積、または第２開口４２ｂの開口面積に対する第２圧抜き孔５１ｂの総開口面積を１５％〜２５％に設定するのが良い。すなわち圧抜き孔５１ａ，５１ｂの開口面積が大き過ぎる場合には、ゴミ詰まりのない通常状態においても、圧抜き孔５１ａ，５１ｂから多量のお湯が吐出されて、浴槽内に不用意なお湯の流れが形成されてしまうおそれがある。逆に圧抜き孔５１ａ，５１ｂの開口面積が小さ過ぎる場合には、ゴミ詰まり時に、圧抜き孔５１ａ，５１ｂから十分なお湯が吐出されず、お湯の供給を十分に行うことができないおそれがある。
【０１３０】
また図８Ａに示すように、フィルター部材９におけるメッシュシート６の内側に付着したゴミＧは、フィルター部材９をアダプター本体から取り外して、清掃すれば、簡単に取り除くことができる。
【０１３１】
さらに本実施形態においては、図８Ａに示すようにメッシュシート６の内側に多量のゴミＧが詰まって、そのゴミＧが、アダプター本体の第１流路（吐出流路）４３ａ内に入り込んで付着していたとしても、そのゴミＧを簡単に取り除くことができる。
【０１３２】
すなわち本実施形態においては、吐出流路４３ａの吐出口４２ａの周縁部における前方開放部４９ａを、フィルター部材９の環状内枠９５によって閉塞するようにしている。つまり吐出口近傍の吐出流路４３ａを構成する周壁部の一部を、フィルター部材９の環状内枠９５によって構成している。このため図８Ｂに示すように、アダプター本体からフィルター部材９を取り外せば、前方開放部４９ａおよび吐出口４２ａを介して吐出流路４３ａの吐出口近傍を前方側に大きく開放させることができる。従ってこの前方開放部４９ａから吐出口４２ａにかけての開放部を介して、吐出流路４３ａ内に入り込んだゴミＧを簡単に取り除くことができる。
【０１３３】
しかも本実施形態においては、ストレーナ７を前方開放部４９ａの近傍に配置しているため、ストレーナ７に詰まったゴミＧも、前方開放部４９ａおよび吐出口４２ａを介して簡単に取り除くことができる。
【０１３４】
このように本実施形態では、吐出流路４３ａ内や、ストレーナ７に詰まったゴミＧを簡単に除去できて、清掃を簡単に行うことができる。
【０１３５】
なお、第２開口４２ｂ側が吐出口となる場合であっても、同様に、吐出流路４３ｂ内や、ストレーナ７に詰まったゴミＧを簡単に取り除くことができる。
【０１３６】
ここで、本実施形態においては、ストレーナ７における一方突起７１の各間の寸法、他方突起７５の各間の寸法、両突起７１，７５間の隙間寸法は、フィルター部材９の通水孔９４の孔径に対し同等もしくは大きく形成するのが良い。すなわち、上記の各寸法が小さ過ぎる場合には、フィルター部材９の通水孔９４を通過した異物が、ストレーナ７に詰まって目詰まりが発生してしまうおそれがあるためである。具体的には上記各寸法を１．０ｍｍ程度に設定するのが良い。
【０１３７】
また本実施形態において、吸込側となる開口、例えば第２開口（吸込口）４２ｂの周辺、例えばメッシュシート６やストレーナ７にゴミ詰まりが発生して、吸込口４２ｂからのお湯の吸込が不十分となった場合には、第２流路（吸込流路）４３ｂ内の負圧が上昇する。そうすると、吸込流路４３ｂに通じる圧抜き孔５１ｂおよび出口室５０ｂも負圧となるため、お湯がフィルター部材９の通水孔９４から出口室５０ｂおよび圧抜き孔５１ｂに吸い込まれ、さらに吸込流路４３ｂ内に吸い込まれる。従って、ゴミ詰まり等により吸込口４２ｂからのお湯の吸込が不十分となっても、お湯を確実に吸い込んで循環させることができる。
【０１３８】
なお、第１開口４２ａが吸込側となる場合であっても、同様に、ゴミ詰まり対してもお湯の吸込を確実に行うことができる。
【０１３９】
また本実施形態では、第１，第２流路４３ａ，４３ｂの内部において、前蓋５の裏面側における圧抜き孔５１ａ，５１ｂの吐出方向Ｄ１に対し上流側に、流動制御突起５４を形成しているため、その突起５４によって、お湯の流動を適正に制御することができる。例えば、ゴミ詰まりのない通常状態で、吐出側となった流路４３ａまたは４３ｂにおいては、お湯が圧抜き孔５１ａまたは５１ｂから吐出されるのを防止しつつ、お湯を開口４２ａまたは４２ｂから確実に吐出させることができる。従って、追い焚き時等に不用意にお湯が給湯口アダプターの前面から吐出されるような不具合を防止することができる。
【０１４０】
また流動制御突起５４の作用によって、ゴミ詰まりのない通常状態で、吸引側となった流路４３ａまたは４３ｂにおいては、お湯を開口４２ａまたは４２ｂから吸い込むことができるとともに、圧抜き孔５１ａまたは５１ｂからも吸い込むことができる。従って、お湯を給湯口アダプターの前方から吸い込んで側方から吐出するという理想的なお湯の循環を行うことができ、撹拌効果をより一層向上させることができ、温度ムラの発生等をより一層確実に防止することができる。
【０１４１】
また本実施形態においては、既述したように、フィルター部材９を組み立てるに際して、メッシュシート６を、シート取付溝９７５，９７５に差し込むだけで簡単に、環状内枠９５に仮止めすることができる。
【０１４２】
しかも、シート取付溝９７５，９７５は、奥に向かうに従って幅が次第に狭くなる断面Ｖ字状に形成されているため、メッシュシート６の両端をシート取付溝９７５，９７５の差し込めば、メッシュシート６の両端における表裏表面がシート取付溝９７５，９７５の両側内面で挟持され、メッシュシート６を、環状内枠９５に安定した状態に仮止めすることができる。このため、メッシュシート６付きの環状内枠９５にフィルターカバー９０を外嵌する際に、メッシュシート６が不用意に脱落してしまうようなことがなく、フィルターカバー９０を環状内枠９５に簡単に取り付けることができる。
【０１４３】
このようにメッシュシート６の環状内枠９５への装着作業や、フィルターカバー９０の環状内枠９５への装着作業を簡単に行うことができ、ひいてはフィルター部材９の組立作業を容易に行うことができる。
【０１４４】
また本実施形態においては、フィルターカバー９０における第１，第２開口９２ａ，９２ｂの開口縁部に、その開口縁部を内側に押し曲げるようにして、内曲げ部９２１，９２１を形成しているため、フィルターカバー９０を環状内枠９５に外嵌すると同時に、内曲げ部９２１，９２１によって、メッシュシート６，６の外周縁部がシート設置面９７１，９７１側に抑え込まれる。このため、メッシュシート６，６がシート設置面９７１，９７１から浮き上がってしまうのを防止でき、メッシュシート６，６をシート設置面９７１，９７１に確実に固定することができる。従って、フィルター部材９の組付後において、メッシュシート６，６が不用意に脱落する等の不具合を防止することができる。
【０１４５】
その上さらに、本実施形態においては、フィルターカバー９０の内曲げ部９２１，９２１によって、メッシュシート６，６を抑え込んで固定するものであるため、メッシュシート６，６を抑え込むための部材を別途必要とせず、その分、部品点数を削減できて、フィルター部材９の組付作業をより一層簡単に行えるとともに、コストも削減することができる。さらに部品点数の削減によって、フィルター部材９をより一層薄型に仕上げることができ、美観をより一層向上させることができる。
【０１４６】
さらにフィルターカバー９０における第１，第２開口９２ａ，９２ｂの周縁部に内曲げ部９２１，９２１を形成することによって、内曲げ部９２１，９２１の先端面（切断端面）が内側に向いて配置されるため、内曲げ部９２１，９２１の切断端面がフィルター部材９の内部に配置される。このため、内曲げ部９２１，９２１の切断端面に、指先等が接触するような不具合を確実に防止することができる。
【０１４７】
また本実施形態のメッシュシート６は、金属シートの中央に、エッチング等によって多数の小孔６１を形成するだけで簡単に製造することができる。
【０１４８】
すなわち従来一般に用いられているメッシュシートは、極細の針金等の線状金属を網状に編み、その網状部材を所定のサイズに裁断してから、外周縁部を樹脂等でコーティングして外周枠部を形成することによって製造するようにしている。このため、針金の編み加工や、裁断加工、樹脂コーティング加工等の多くの加工が必要で、製造が困難になるおそれがある。しかも、樹脂コーティング加工は、緻密で繊細な作業となり、この点においても、製造が困難になってしまう。さらに樹脂コーティングの加工精度が悪かったり、長期間使用すると、針金の端面が露出してしまい、針金がほころびて、十分な耐久性が得られないばかりか、フィルター機能が阻害されてしまうおそれもある。
【０１４９】
これに対し、本実施形態のメッシュシート６は、主として、金属シートの裁断加工と、エッチング等による孔開け加工と行うだけで簡単に製造することができる。しかも、本実施形態のメッシュシート６は、中央の小孔６１群からなる通水部と、外周枠部とが一体に形成されているため、上記従来のように針金がほころびるような不具合がなく、十分な耐久性を得ることができるとともに、フィルター機能が損なわれることもない。
【０１５０】
なお、上記実施形態の給湯口アダプターにおいては、湯はり時に、往き管および戻り管の双方で浴槽内にお湯を供給するダブル搬送式のものを用いているが、それだけに限られず、本発明は、湯はり時に、往き管のみからお湯を浴槽内に供給するようにしたシングル搬送式の給湯口アダプターにも適用することができる。
【０１５１】
また上記実施形態においては、シート状フィルター素材として、金属シートに小孔を多数形成したメッシュシートを用いる場合を例に挙げて説明したが、本発明のシート状フィルター素材はそれだけに限られない。例えば極細の針金が網状に組み込まれたタイプのフィルター素材を用いるようにしても良い。
【０１５２】
また上記実施形態においては、流路仕切部材３における第１，第２前方開放部４９ａ，４９ｂを、第１，第２開口４２ａ，４２ｂに連通させるようにしているが、本発明はそれだけに限られない。本発明においては、例えば第１，第２前方開放部を、第１，第２開口に対し非連通状態に形成するようにしても良い。つまり、第１，第２前方開放部と、第１，第２開口との間を前壁の一部によって仕切るようにしても良い。この場合であっても、第１，第２前方開放部のみを介して、第１，第２流路内のゴミを取り除くことができる。
【０１５３】
また上記実施形態においては、第１，第２流路４３ａ，４３ｂの双方に、ストレーナ７を設ける場合を例に挙げて説明したが、それだけに限られず、本発明においては、第１，第２流路のうち少なくとも吸込側の開口にストレーナを設けるようにすれば良い。
【０１５４】
また上記実施形態のストレーナ７においては、複数の一方突起７１と、複数の他方突起７５との先端が、後壁４１と前蓋５との間のほぼ中間位置に配置されるしているが、本発明は、それだけに限られない。例えば一方突起７１と、他方突起７５との先端が、それぞれ中間位置まで到達しないように寸法設定することにより、両突起７１，７５の先端同士が同士が周方向に重なり合わず、一方突起７１と他方突起７５との間に周方向に連続する隙間が形成されるようにしてもよい。さらに複数の一方突起の各間に、各他方突起が配置されるようにして、一方突起７１と他方突起７５との間に周方向に連続する隙間が形成されないようにしても良い。要は本発明においては、複数の一方突起の各間に対応して、各他方突起がそれぞれ設けられていれば良い。
【０１５５】
また本発明においては、ストレーナ９を流路４３ａ，４３ｂに対し、着脱自在に取り付けるようにしても良い。例えば、ストレーナに流路に着脱自在な支持枠を設け、支持枠に一方突起および他方突起を設けておき、支持枠を流路に対し着脱することによって、ストレーナを流路に対し着脱できるようにすれば良い。
【産業上の利用可能性】
【０１５６】
この発明の浴槽用給湯口アダプターは、例えば一般家庭の浴槽に給湯用金具として利用することができる。
【符号の説明】
【０１５７】
４：槽内突出部
４２：周側壁
４２ａ，４２ｂ：第１，第２開口
４３ａ，４３ｂ：第１，第２流路
５：前蓋（前壁）
５０ａ，５０ｂ：第１，第２出口室
５１ａ，５１ｂ：第１，第２圧抜き孔
５３：リブ
５４：流動制御突起 
９：フィルター部材
９１：前壁
９４：通水孔
Ｄ１：吐出方向（外径方向、外向き方向）
Ｗ：浴槽側壁
【図１】
0005801702.tif 000002
【図２】
0005801702.tif 000003
【図３】
0005801702.tif 000004
【図４】
0005801702.tif 000005
【図５Ａ】
0005801702.tif 000006
【図５Ｂ】
0005801702.tif 000007
【図５Ｃ】
0005801702.tif 000008
【図５Ｄ】
0005801702.tif 000009
【図６】
0005801702.tif 000010
【図７Ａ】
0005801702.tif 000011
【図７Ｂ】
0005801702.tif 000012
【図８Ａ】
0005801702.tif 000013
【図８Ｂ】
0005801702.tif 000014
【図９】
0005801702.tif 000015
【図１０Ａ】
0005801702.tif 000016
【図１０Ｂ】
0005801702.tif 000017
【図１１】
0005801702.tif 000018
【図１２】
0005801702.tif 000019
【図１３Ａ】
0005801702.tif 000020
【図１３Ｂ】
0005801702.tif 000021
【図１３Ｃ】
0005801702.tif 000022
【図１３Ｄ】
0005801702.tif 000023
【図１４Ａ】
0005801702.tif 000024
【図１４Ｂ】
0005801702.tif 000025
【図１５Ａ】
0005801702.tif 000026
【図１５Ｂ】
0005801702.tif 000027
【図１５Ｃ】
0005801702.tif 000028
【図１５Ｄ】
0005801702.tif 000029
【図１６】
0005801702.tif 000030